(57)【要約】【課題】光源からの光の入射面から該入射面に対向する対向面に向かう曲線又は折曲線を立体表示し得る導光板、発光装置、表示装置及び遊技機を提供する。【解決手段】導光板１０Ａは、視差による立体画像ＳＩを表示させる。光源４からの光が側面１１ａを介して入射され、かつ内部を全反射されながら導光される該光を反射して出射面１１ｃから出射させる傾斜面１２ａを有する複数の偏向部１２を側面１１ａに平行な行毎に備えている。各行に配された複数の偏向部１２における各傾斜面１２ａは、同一の行内では全て同じ向きとなっている。側面１１ａからの距離に応じて各行の傾斜面１２ａの向きが変化するようになっている。【選択図】図１
2019139176.tif 000002
【特許請求の範囲】
【請求項１】
視差による立体画像を表示させる導光板において、
光源からの光が入射面を介して入射され、かつ内部を全反射されながら導光される該光を反射して出射面から出射させる反射面を有する複数の偏向部を前記入射面に平行な行毎に備えており、
前記各行に配された複数の偏向部における各反射面は、同一の行内では全て同じ向きとなっており、かつ前記入射面からの距離に応じて各行の反射面の向きが変化するようになっていることを特徴とする導光板。
【請求項２】
前記各行に配された複数の偏向部における各反射面の向きである、前記入射面に対する角度は、前記入射面からの距離に応じて、連続して逐次的に大きく又は小さくなるように変化することを特徴とする請求項１に記載の導光板。
【請求項３】
前記各行に配された複数の偏向部における各反射面の向きである、前記入射面に対する角度は、前記入射面からの距離に応じて、不連続に変化することを特徴とする請求項１に記載の導光板。
【請求項４】
請求項１〜３のいずれか１項に記載の導光板と、前記導光板の入射面に平行に配された複数の光源とを備えていることを特徴とする発光装置。
【請求項５】
前記光源と前記導光板との間に配置された光学部材をさらに備え、
前記光学部材は、前記光源から出射された光を集光して、前記導光板に入射させることを特徴とする請求項４に記載の発光装置。
【請求項６】
前記光源は、前記導光板の入射面に沿って配された第１光源と、前記導光板の入射面及び出射面に直交する側面に沿って配された第２光源とを含み、
前記導光板は、前記第１光源からの光を反射させる前記偏向部と、前記第２光源からの光を反射させる第２光源用偏向部とを含むと共に、
前記第１光源の発光及び第２光源の発光はそれぞれ互いに影響されることなく、前記第１光源の発光により偏向部に対応する立体画像を表示し、第２光源により第２光源用偏向部に対応する立体画像を表示することを特徴とする請求項４に記載の発光装置。
【請求項７】
前記光源と前記導光板との間に配置されたマスク部材をさらに備え、
前記マスク部材は、前記光源から出射された光を通過させる少なくとも１つのスリットを有していることを特徴とする請求項４〜６のいずれか１項に記載の発光装置。
【請求項８】
前記光源が配置された前記入射面と対向する前記導光板の対向側面に配置された反射部材をさらに備え、
前記反射部材は、前記光源からの光のうち、前記導光板を導光して前記対向側面に到達した光を前記入射面側へ反射することを特徴とする請求項４〜７のいずれか１項に記載の発光装置。
【請求項９】
請求項４〜８のいずれか１項に記載の発光装置を備えていることを特徴とする表示装置。
【請求項１０】
前記発光装置における光源の発光タイミング、及び互いに異なる色を発光する複数の光源の切り換え制御の少なくとも１つを制御する制御部を備えていることを特徴とする請求項９に記載の表示装置。
【請求項１１】
請求項９又は１０に記載の表示装置を備えていることを特徴とする遊技機。
【発明の詳細な説明】
【技術分野】
【０００１】
本開示は、視差による立体画像を表示させる導光板、発光装置、表示装置及び遊技機に関するものである。
【背景技術】
【０００２】
従来、導光板を用いて視差に基づく立体画像を表示可能とする発光装置が知られている。例えば、特許文献１では、導光板は、側面から入射した第１光源からの光を反射させる第１反射パターンを備えており、反射光を出射面から出射する。出射面は、該出射面を観測する観測者の一方の目に向けて第１出射光を出射する第１地点と、他方の目に向けて第２出射光を出射する第２地点とを含む。また、第１地点と一方の目の中心を通る直線と、第２地点と他方の目の中心を通る直線とは交差する。これにより、視差による立体画像が表示可能となっている。
【先行技術文献】
【特許文献】
【０００３】
【特許文献１】特開２０１５−８７７６９号公報（２０１５年５月７日公開）
【発明の概要】
【発明が解決しようとする課題】
【０００４】
しかしながら、従来の特許文献１に開示された導光体及び発光装置においては、光源の入射面からこの入射面に対向する対向面に向かう直線的な立体画像しか表示できないという問題点を有している。
【０００５】
本開示の一態様は、前記従来の問題点に鑑みなされたものであって、その目的は、光源からの光の入射面から該入射面に対向する対向面に向かう曲線又は折曲線を立体表示し得る導光板、発光装置、表示装置及び遊技機を提供することにある。
【課題を解決するための手段】
【０００６】
本開示の一態様における導光板は、前記の課題を解決するために、視差による立体画像を表示させる導光板において、光源からの光が入射面を介して入射され、かつ内部を全反射されながら導光される該光を反射して出射面から出射させる反射面を有する複数の偏向部を前記入射面に平行な行毎に備えており、前記各行に配された複数の偏向部における各反射面は、同一の行内では全て同じ向きとなっており、かつ前記入射面からの距離に応じて各行の反射面の向きが変化するようになっていることを特徴としている。
【０００７】
従来、この種の導光板では、入射面に平行な各行における複数の偏向部の反射面の向きが、全ての行においていずれも入射面に平行となっていた。その結果、視差による立体画像の表示においては、入射面から該入射面の対向面に向かう方向において直線として表示させることしかできなかった。
【０００８】
そこで、本開示の一態様における導光板では、各行に配された複数の偏向部における各反射面は、同一の行内では全て同じ向きとなっており、かつ入射面からの距離に応じて各行の反射面の向きが変化するようになっている。
【０００９】
この結果、視差による立体画像の表示においては、入射面から該入射面の対向面に向かう方向において曲線又は折曲線を表示させることが可能となる。
【００１０】
したがって、光源からの光の入射面から該入射面に対向する対向面に向かう曲線又は折曲線を立体表示し得る導光板を提供することができる。
【００１１】
本開示の一態様における導光板では、前記各行に配された複数の偏向部における各反射面の向きである、前記入射面に対する角度は、前記入射面からの距離に応じて、連続して逐次的に大きく又は小さくなるように変化するとすることができる。
【００１２】
これにより、複数の偏向部における反射面の向きである、前記入射面に対する角度は、視差による立体画像の結像位置を前記入射面から該入射面の対向面に向かって行毎に連続して逐次的に大きく又は小さくなるように変化する。
【００１３】
この結果、光源からの光の入射面から該入射面に対向する対向面に向かう曲線を具体的に立体表示し得る導光板を提供することができる。
【００１４】
本開示の一態様における導光板では、前記各行に配された複数の偏向部における各反射面の向きである、前記入射面に対する角度は、前記入射面からの距離に応じて、不連続に変化するとすることができる。
【００１５】
これにより、例えば、複数の偏向部における反射面の向きが、視差による立体画像の結像位置を前記入射面から該入射面の対向面に向かって数行に亘って連続的に同じとした場合には、直線の立体画像を表示させることができる。次いで、各行に配された複数の偏向部における各反射面の向きである、入射面に対する角度を、入射面からの距離に応じて、不連続に大きく又は小さくなるように変化させて、数行に亘って連続的に同じとした場合には、前記直線が、急に方向を変化させた後、直線の立体画像を表示させることができる。この結果、例えば稲妻線等の折曲線となる立体画像を表示させることが可能となる。
【００１６】
本開示の一態様における発光装置は、前記導光板と、前記導光板の入射面に平行に配された複数の光源とを備えていることを特徴としている。
【００１７】
前記構成によれば、光源からの光の入射面から該入射面に対向する対向面に向かう曲線又は折曲線を立体表示し得る発光装置を実現することができる。
【００１８】
本開示の一態様における発光装置は、前記光源と前記導光板との間に配置された光学部材をさらに備え、前記光学部材は、前記光源から出射された光を集光して、前記導光板に入射させるとすることができる。
【００１９】
これにより、光学部材によって集光された光が導光板に入射する。このような光を偏向部によって反射した場合、視差による交点が出射面に対して観測者側に位置するような角度範囲で光を出射させることができる。この結果、飛び出し感のある立体表示を好適に行うことができる。
【００２０】
本開示の一態様における発光装置では、前記光源は、前記導光板の入射面に沿って配された第１光源と、前記導光板の入射面及び出射面に直交する側面に沿って配された第２光源とを含み、前記導光板は、前記第１光源からの光を反射させる前記偏向部と、前記第２光源からの光を反射させる第２光源用偏向部とを含むと共に、前記第１光源の発光及び第２光源の発光はそれぞれ互いに影響されることなく、前記第１光源の発光により偏向部に対応する立体画像を表示し、第２光源により第２光源用偏向部に対応する立体画像を表示するとすることができる。
【００２１】
これにより、第１光源の発光及び第２光源の発光はそれぞれ互いに影響されることなく、第１光源の発光により偏向部に対応する立体画像を表示し、第２光源により第２光源用偏向部に対応する立体画像を表示する。この結果、例えば、立体画像の位置が出射面に対して観測者とは反対側に位置する場合、第２光源用偏向部に対応する立体画像に対して偏向部に対応する立体画像がさらに奥側にあるように観測者に観測させることができる。
【００２２】
したがって、第２偏向部に対応する立体画像が浮遊したような浮遊感のある立体表示を行うことが可能となる。
【００２３】
本開示の一態様における発光装置は、前記光源と前記導光板との間に配置されたマスク部材をさらに備え、前記マスク部材は、前記光源から出射された光を通過させる少なくとも１つのスリットを有していることが好ましい。
【００２４】
これにより、マスク部材のスリットを通過した光が導光板の入射面から入射するため、入射する光の幅を狭くすることが可能となる。この結果、より細い線で構成された立体画像を立体表示することができる。
【００２５】
本開示の一態様における発光装置は、前記光源が配置された前記入射面と対向する前記導光板の対向側面に配置された反射部材をさらに備え、前記反射部材は、前記光源からの光のうち、前記導光板を導光して前記対向側面に到達した光を前記入射面側へ反射することが好ましい。
【００２６】
これにより、光源からの光のうち偏向部によって反射されずに導光板の対向側面に到達した光を、反射部材によって反射して、再び偏向部へ向かわせることができる。この結果、光源から出射されて対向側面に到達した光を出射面から出射することが可能となるため、光の利用効率を高めることができる。
【００２７】
本開示の一態様における表示装置は、前記発光装置を備えていることを特徴としている。
【００２８】
前記構成によれば、光源からの光の入射面から該入射面に対向する対向面に向かう曲線又は折曲線を立体表示し得る発光装置を備えた表示装置を提供することができる。
【００２９】
本開示の一態様における表示装置は、前記発光装置における光源の発光タイミング、及び互いに異なる色を発光する複数の光源の切り換え制御の少なくとも１つを制御する制御部を備えていることが好ましい。
【００３０】
これにより、表示装置において、突然、曲線又は折曲線を立体表示させたり、曲線又は折曲線の色を変えたりする演出を行わせることが可能となる。
【００３１】
本開示の一態様における遊技機は、表示装置を備えていることを特徴としている。
【００３２】
前記構成によれば、光源からの光の入射面から該入射面に対向する対向面に向かう曲線又は折曲線を立体表示し得る表示装置を備えた遊技機を提供することができる。
【発明の効果】
【００３３】
本開示の一態様によれば、光源からの光の入射面から該入射面に対向する対向面に向かう曲線又は折曲線を立体表示し得る導光板、発光装置、表示装置及び遊技機を提供するという効果を奏する。
【図面の簡単な説明】
【００３４】
【図１】（ａ）は本実施の形態１における発光装置の構成を示す平面図であり、（ｂ）は前記発光装置の構成を示す断面図である。
【図２】前記発光装置を備えた遊技機及び表示装置を示す斜視図である。
【図３】前記発光装置に備えられた導光板に導光される光の経路を示す断面図である。
【図４】（ａ）〜（ｄ）は、前記導光板に形成された偏向部の形状の一例を示す断面図である。
【図５】前記発光装置における導光板の出射面から出射される出射光の指向性を説明するための斜視図である。
【図６】前記発光装置における視差に基づく立体表示の原理を示すものであって、第１地点及び観測者の一方の目の中心を通る直線と、第２地点及び観測者の他方の目の中心を通る直線とが交差する交点を複数示す斜視図である。
【図７】折曲線を立体表示させる場合の導光板における１つの折曲線に関係する偏向部のみについての向きの変化を示す平面図である。
【図８】前記発光装置における視差に基づく立体表示の一例としての折曲線である稲妻線を示す斜視図である。
【図９】（ａ）は発光装置における導光板について、偏向部の向きが変化した場合の出射面から出射される出射光の指向性の変化を示す斜視図であり、（ｂ）はその平面図であり、（ｃ）は発光装置における立体画像が見える奥行方向の位置を示す断面図である。
【図１０】（ａ）は発光装置において、Ｓ字の曲線を立体表示させる場合の導光板における全偏向部の向きの変化を示す平面図であり、（ｂ）はＳ字の曲線を立体表示させる場合の導光板におけるＳ字に関係する偏向部のみについての向きの変化を示す平面図である。
【図１１】本実施の形態２における発光装置の構成を示す斜視図である。
【図１２】本実施の形態３における発光装置の構成を示す斜視図である。
【図１３】（ａ）は前記発光装置の導光板に形成された第２偏向部の形状を説明するための斜視図であり、（ｂ）はその平面図であり、（ｃ）はその側面図である。
【図１４】本実施の形態４における発光装置の構成を示す斜視図である。
【図１５】前記発光装置におけるマスクの構成を示す正面図である。
【図１６】本実施の形態５における発光装置の構成を示す斜視図である。
【図１７】前記発光装置の発光状態の一例を示す斜視図である。
【図１８】（ａ）は参考形態の発光装置における導光板の出射面から出射される出射光の指向性を示す斜視図であり、（ｂ）は参考形態の発光装置における導光板について、偏向部の向きが入射面に平行である場合には直線からなる立体画像が表示されることを示すと共に、入射面からの距離が長い程、左右の両側からの光が減少することを示す平面図であり、（ｃ）は参考形態の発光装置における立体画像が見える奥行方向の位置を示す断面図である。
【図１９】参考形態の発光装置における視差に基づく立体表示の出射光の出射角度と奥行き感との関係を説明するための斜視図である。
【図２０】参考形態の発光装置における視差に基づく立体表示の一例を示す平面図である。
【発明を実施するための形態】
【００３５】
以下、本開示の一側面に係る実施の形態（以下、「本実施形態」とも表記する）を、図面に基づいて説明する。
【００３６】
（適用例）
まず、図１の（ａ）（ｂ）に基づいて、本開示が適用される場面の一例について説明する。図１の（ａ）は、本開示の一態様における発光装置３Ａの構成を示す平面図である。図１の（ｂ）は、発光装置３Ａの構成を示す断面図である。
【００３７】
図１の（ａ）（ｂ）に示すように、本開示における発光装置３Ａは、導光板１０Ａと、導光板１０Ａの側面１１ａに平行に配された複数の光源４とを備えている。尚、側面１１ａは、本開示の入射面として機能する。
【００３８】
そして、導光板１０Ａは、視差による立体画像ＳＩを表示させる。導光板１０Ａは、光源４からの光が側面１１ａを介して入射され、かつ内部を全反射されながら導光される光を反射して出射面１１ｃから出射させる傾斜面１２ａを有する複数の偏向部１２を側面１１ａに平行な行毎に備えており、各行に配された複数の偏向部１２における各傾斜面１２ａは、同一の行内では全て同じ向きとなっており、かつ側面１１ａからの距離に応じて各行の傾斜面１２ａの向きが変化するようになっている。尚、傾斜面１２ａは反射面として機能する。
【００３９】
この結果、視差による立体画像ＳＩの表示においては、側面１１ａから該側面１１ａに対する対向面に向かう方向において曲線又は折曲線を表示させることが可能となる。
【００４０】
したがって、側面１１ａから該側面１１ａに対向する側面１１ｂに向かう曲線又は折曲線を立体表示し得る導光板１０Ａ及び発光装置３Ａを提供することができる。
【００４１】
また、本開示における表示装置２は発光装置３Ａを備えていると共に、本開示における遊技機１は、表示装置２を備えている。したがって、側面１１ａから該側面１１ａに対向する側面１１ｂに向かう曲線又は折曲線を立体表示し得る導光板１０Ａ、発光装置３Ａを備えた表示装置２及び遊技機１を提供することができる。
【００４２】
（構成例）
〔実施の形態１〕
本開示の実施の形態１について、図１〜図１０に基づいて説明すれば以下の通りである。本実施の形態における発光装置３Ａを備えた遊技機１の構成について、図２に基づいて説明する。図２は、本実施の形態の発光装置３Ａを備えた遊技機１及び表示装置２を示す斜視図である。
【００４３】
図２に示すように、遊技機１としての例えばパチンコ機やパチスロ機には、表示装置２が設けられている。表示装置２は、遊技機１の中央部付近に配置された例えば液晶表示装置を含んでいると共に、本実施の形態では、特に、導光板１０Ａを備えた発光装置３Ａを含んでいる。本実施の形態の発光装置３Ａは、例えば、大当りを示す演出画像や大当りの期待度を示す演出画像等、各種演出のための画像表示２ａを行うものとなっている。具体的には、本実施の形態の発光装置３Ａは、表示装置２の画像表示２ａとして、図や絵柄等の立体画像ＳＩを立体的に表示するものとなっている。尚、立体画像ＳＩを表示させるか否かの制御、所定のタイミングで点灯させる光源４を切り換える制御、又は互いに異なる色を発光する複数の光源４の切り換えを所定のタイミングで行う制御等の制御は、表示装置２に設けられた図示しない制御部が行うようになっている。
【００４４】
（発光装置の構成）
図１の（ａ）（ｂ）に基づいて、本実施の形態における発光装置３Ａの構成について説明する。図１の（ａ）は、本実施の形態における発光装置３Ａの構成を示す平面図である。図１の（ｂ）は、発光装置３Ａの構成を示す断面図である。
【００４５】
図１の（ａ）（ｂ）に示すように、本実施の形態の発光装置３Ａは、複数の光源４と導光板１０Ａとを備えている。
【００４６】
光源４は、導光板１０Ａに光を出射する発光素子である。光源４としては点光源であることが好ましく、例えば、ＬＥＤ（Light Emitting Diode）を好適に利用することができる。ただし、ＬＥＤの他、蛍光灯等の他の光源を利用してもよい。
【００４７】
本実施の形態では、光源４は、導光板１０Ａの入射面としての一つの側面１１ａに沿って複数配置されている。ただし、側面１１ａに沿って配置される光源４の数は、１つであってもよい。また、光源４は、側面１１ａに対向する側面１１ｂに配置されていてもよい。
【００４８】
導光板１０Ａは、側面１１ａから入射した光源４からの光を出射面１１ｃと下面１１ｄとの間で全反射させて導光し、出射面１１ｃから出射する導光材である。導光板１０Ａは、光を全反射する材料（例えば、アクリル樹脂等）からなる透明性を有する直方体の板状の部材である。ただし、導光板１０Ａは直方体の平面で構成された形状に限られず、円形若しくは多角形の平面であってよく、又は板が可撓性を有していてもよい。
【００４９】
導光板１０Ａには、出射面１１ｃと対向する下面１１ｄに、側面１１ａから入射した光を正反射させる偏向部１２が複数形成されている。偏向部１２は、光の入射方向に対して略垂直に伸びるＶ溝構造であり、該入射方向に複数列が並んで形成されている。尚、図面では、説明の便宜上、導光板１０Ａに形成される偏向部１２の数を実際の数よりも減じて図示している。
【００５０】
偏向部１２は、側面１１ａから入射した光源４からの光を出射面１１ｃに向けて反射する反射面としての傾斜面１２ａを有している。本実施の形態では、側面１１ａから入射した光源４からの光を反射するために、偏向部１２は、側面１１ａに対応した傾斜面１２ａを有している。尚、側面１１ｂにも光源４が配されている場合には、側面１１ｂの光源４に対応した傾斜面１２ａが形成される。
【００５１】
本実施の形態の発光装置３Ａでは、偏向部１２は、表示した立体画像ＳＩが観測者によって立体的に知覚されるように、出射面１１ｃ上の所定の地点から、所定の指向性を有する光が出射されるように傾斜面１２ａの角度等が調整されている。尚、偏向部１２及び出射面１１ｃから出射される光の指向性については後述する。
【００５２】
次に、図３及び図４に基づいて、偏向部１２の詳細について説明する。図３は、発光装置３Ａに備えられた導光板１０Ａにて導光される光の経路を示す断面図である。尚、図３は、側面１１ａから入射した光を偏向部１２によって反射させる場合を示している。図４の（ａ）〜（ｄ）は、導光板１０Ａに形成された偏向部１２の形状の一例を示す断面図である。図４の（ａ）〜（ｄ）の上段は偏向部１２の平面図を示し、下段は偏向部１２の断面図を示している。
【００５３】
図３に示すように、偏向部１２は、側面１１ａから入射した光源４からの光を傾斜面１２ａによって出射面１１ｃへ向けて正反射させる。傾斜面１２ａによって正反射された光は、出射面１１ｃから強い指向性を有する出射光Ｌとして出射される。
【００５４】
図４の（ａ）に示すように、本実施の形態では、側面１１ａから入射した光源４からの光を反射するために、偏向部１２は、傾斜面１２ａを有する形状としている。しかしながら、偏向部１２の断面形状及び傾斜面１２ａの向きは、光源４の配置位置、表示する立体画像ＳＩの種類、及び観測地点（出射面１１ｃに対する観測者の距離及び角度）等に応じて適宜変更可能である。
【００５５】
ここで、図４の（ａ）では、光源４が導光板１０Ａの両方の側面１１ａ・１１ｂに配置されている場合を考慮して、偏向部１２は、両側の側面１１ａ・１１ｂに対応するように両側に傾斜面１２ａ・１２ａを有している。しかし、例えば、光源４が導光板１０Ａの一方の側面１１ａにのみ配置されている場合に、図４の（ｂ）に示すように、偏向部１２は、側面１１ａ側にのみ傾斜面１２ａを有する断面形状とすることができる。
【００５６】
また、図４の（ｃ）に示すように、偏向部１２は、直線的な形状ではなく、曲線的な形状に形成されていてもよい。これにより、多様な立体画像ＳＩを表示することができる。
【００５７】
さらに、図４の（ｄ）に示すように、光源４が導光板１０Ａの一方の側面１１ｂにのみ配置されている場合、図４の（ｄ）に示すように、偏向部１２は、側面１１ｂ側にのみ傾斜面１２ａを有する断面形状であってもよい。
【００５８】
隣り合う偏向部１２の間隔は、人の目で偏向部１２が形成されていることを判別できない程度であることが好ましく、例えば、約３００μｍである。偏向部１２の間隔が広すぎると、表示される立体画像ＳＩが断片的となり、観測者が立体画像ＳＩを立体視し難くなる。
【００５９】
尚、本実施の形態では、導光板１０Ａの下面１１ｄを切削した凹部（溝）状の偏向部１２を形成しているが、偏向部１２はこの構成に限定されない。例えば、導光板１０Ａの下面１１ｄから突出した凸状の偏向部１２を形成してもよい。或いは、偏向部１２は、他の反射部材によって形成されていてもよい。
【００６０】
（出射面から出射される光による視差に基づく立体表示の原理）
次に、図５、図６及び図１８の（ａ）（ｂ）（ｃ）〜図１９に基づいて、導光板１０Ａの出射面１１ｃから出射される光の指向性及び立体表示の原理について説明する。図５は、発光装置３Ａにおける導光板１０Ａの出射面１１ｃから出射される出射光の指向性を説明するための斜視図である。図６は発光装置３Ａにおける視差に基づく立体表示の原理を示すものであって、第１地点及び観測者の一方の目の中心を通る直線と、第２地点及び観測者の他方の目の中心を通る直線とが交差する交点を示す斜視図である。図１８の（ａ）は、参考形態の発光装置における発光状態の一例を示す斜視図である。図１８の（ｂ）は、参考形態の発光装置における偏向部の向きと直線からなる立体画像を示す平面図である。図１８の（ｃ）は、参考形態の発光装置における立体画像の奥行を示す断面図である。図１９は、参考形態の発光装置における視差に基づく立体表示の一例を示す平面図である。
【００６１】
図５に示すように、導光板１０Ａの出射面１１ｃの第１地点Ｐ１から出射される第１出射光Ｌ１は、所定の観測地点に位置する観測者の一方の目Ｅ１及びその近傍に照射される角度範囲で出射される。一方、出射面１１ｃの第２地点Ｐ２から出射される第２出射光Ｌ２が同観測者の他方の目Ｅ２及びその近傍に照射される角度範囲で出射される。
【００６２】
すなわち、第１地点Ｐ１から出射される第１出射光Ｌ１は、観測者の一方の目Ｅ１によって視認されるが、他方の目Ｅ２によって視認されないか、又は一方の目Ｅ１によって視認される光量に比べて他方の目Ｅ２によって視認される光量が非常に小さい。この結果、第１出射光Ｌ１は指向性を有する。
【００６３】
一方、第２地点Ｐ２からの第２出射光Ｌ２は、観測者の他方の目Ｅ２によって視認されるが、一方の目Ｅ１によって視認されないか、又は他方の目Ｅ２によって視認される光量に比べて一方の目Ｅ１によって視認される光量が非常に小さい。この結果、第２出射光Ｌ２は指向性を有する。
【００６４】
尚、第１地点Ｐ１から出射される第１出射光Ｌ１の角度範囲（指向性）、及び第２地点Ｐ２から出射される第２出射光Ｌ２の角度範囲（指向性）は、観測地点における出射面１１ｃに対する観測者の距離及び角度に基づいて、適宜設定される。
【００６５】
次に、図６に示すように、第１地点Ｐ１及び一方の目Ｅ１の中心つまり瞳孔・水晶体を通る直線と、第２地点Ｐ２及び他方の目Ｅ２の中心を通る直線とは、交点Ｃで交差する。換言すると、第１地点Ｐ１から出射された第１出射光Ｌ１のうち、観測者の一方の目Ｅ１によって視認された光の光軸と、第２地点Ｐ２から出射された第２出射光Ｌ２のうち、観測者の他方の目Ｅ２によって視認された光の光軸とは、交点Ｃで交差している。そのため、観測者は交点Ｃに発光点が存在しているように錯覚する。
【００６６】
交点Ｃが出射面１１ｃに対して観測者側に位置する場合、観測者には発光点が出射面１１ｃから飛び出して見える。一方、交点Ｃが出射面１１ｃに対して観測者と反対側に位置する場合、観測者には発光点が出射面１１ｃよりも奥側にあるように見える。本実施の形態では、交点Ｃは、例えば、出射面１１ｃに対して観測者と反対側に位置の下面１１ｄの下方に位置しているため、観測者は奥行き感を知覚することになる。
【００６７】
このように、第１出射光Ｌ１が観測者の一方の目Ｅ１及びその近傍に向かう角度範囲で出射され、かつ第２出射光Ｌ２が同観測者の他方の目Ｅ２及びその近傍に向かう角度範囲で出射されると共に、第１出射光Ｌ１の光軸と、第２出射光Ｌ２の前記光軸とが交点Ｃを有する場合、観測者は交点Ｃに発光点が存在しているように錯覚する。そのため、このような交点Ｃを複数の交点Ｃ１・Ｃ２…となるように連続する点の集合として形成させることによって、観測者は例えば直線となる立体的な立体画像ＳＩを知覚することができる。
【００６８】
具体的には、図１８の（ａ）（ｂ）に示すように、光源４からの光の入射面である側面１１ａに平行であって該側面１１ａから最も近い行の複数の偏向部１２によって交点Ｃ１に光が集結しているように見える。また、光源４からの光の入射面である側面１１ａに平行であって該側面１１ａから次の行の複数の偏向部１２によって交点Ｃ２に光が集結しているように見える。以下、これを側面１１ａから最も遠い複数の偏向部１２による交点Ｃｎまで繰り返すことによって、交点Ｃ１〜Ｃｎを形成し、これによって、交点Ｃ１〜Ｃｎが連続した直線となる立体的な立体画像ＳＩを知覚することができる。
【００６９】
ここで、表示される立体画像ＳＩの奥行き感つまり導光板１０Ａの下面１１ｄからどの位離れた位置に交点Ｃが存在するかについては、偏向部１２による反射角度を変更することによって設計が可能である。具体的には、図１９に示すように、例えば、第１地点Ｐ１及び一方の目Ｅ１の中心を通る直線と、第２地点Ｐ２及び他方の目Ｅ２の中心を通る直線とがなす角度θを大きくすることにより、表示する立体画像ＳＩの奥行き感が小さくなる。つまり、交点Ｃの位置は下面１１ｄに近づく。そのため、奥行き感があるように表示したい立体画像ＳＩについては角度θが小さくなるように、対応する偏向部１２による反射角度を変更すればよい。このように、偏向部１２の傾斜面１２ａの傾斜角度を適宜調整して表示する立体画像ＳＩの奥行き感を調整することが可能である。
【００７０】
尚、光源４が配置されている側面１１ａから等距離にある複数の偏向部１２における傾斜面１２ａの傾斜角度は一定となっている。このため、前記図１８の（ｂ）に示すように、実際には、偏向部１２の配置位置が光源４からの光の光軸から離れるに従って、光源４からの光を反射させる方向と、導光板１０の法線方向とのなす角度が大きくなる。また、偏向部１２の配置位置が光源４からの光の光軸との距離が同じであれば、偏向部１２の配置位置が側面１１ａに近いほど、光源４からの光を反射させる方向と、導光板１０の法線方向とのなす角度が大きくなる。
【００７１】
したがって、観測者の左右の目に入る光は、側面１１ａに近い位置に配置されている偏向部１２からは、導光板１０の法線方向とのなす角度が大きくなり、側面１１ａに遠い位置に配置されている偏向部１２からは、導光板１０の法線方向とのなす角度が小さくなる。ここで、観測者の左右の目に入る光が導光板１０の法線方向とのなす角度が大きい場合には、図１８の（ｃ）に示すように、結像位置である交点Ｃ１は導光板１０Ａの下面１１ｄの近くに存在するように見える。一方、観測者の左右の目に入る光が導光板１０の法線方向とのなす角度が小さい場合には、図１８の（ｃ）に示すように、結像位置である交点Ｃｎは導光板１０Ａの下面１１ｄの遠くに存在するように見える。
【００７２】
（曲線又は折曲線を立体表示させるための構成）
本実施の形態の導光板１０Ａ及び発光装置３Ａによって、曲線又は折曲線を立体表示させるための構成について、図１の（ａ）（ｂ）、図７、図８及び図２０に基づいて説明する。図７は、折曲線を立体表示させる場合の導光板１０Ａにおける１つの折曲線に関係する偏向部１２のみについての向きの変化を示す平面図である。図８は、発光装置３Ａにおける視差に基づく立体表示の一例としての折曲線である稲妻線を示す斜視図である。図２０は、参考形態の発光装置における視差に基づく立体表示の一例を示す平面図である。
【００７３】
前述した図１８の（ｂ）においては、複数の偏向部１２における反射面の向きを、側面１１ａからの直線距離が変化しても同じに形成している。詳細には、複数の偏向部１２の向きは全て側面１１ａと平行になっている。この結果、表示される立体の立体画像ＳＩは、側面１１ａから側面１１ｂに向かう直線となる。具体的には、図２０に示すように、図１９において上下に延びる光のラインが立体表示される。尚、図２０においては、左右に延びる複数の光のラインが立体表示されており、この複数の光のラインは、側面１１ａに配置された光源４の数に対応している。
【００７４】
しかしながら、単なる直線の立体画像ＳＩでは、面白さに欠ける。そこで、本実施の形態の発光装置３Ａの導光板１０Ａでは、図１の（ａ）（ｂ）に示すように、光源４からの光が入射面としての側面１１ａを介して入射され、かつ内部を全反射されながら導光される光を反射して出射面１１ｃから出射させる反射面としての傾斜面１２ａを有する複数の偏向部１２を側面１１ｂに平行な行毎に備えており、各行に配された複数の偏向部１２における各傾斜面１２ａは、同一の行内では全て同じ向きとなっており、かつ側面１１ｂからの距離に応じて各行の傾斜面１２ａの向きが変化するようになっている。尚、行の間隔は必ずしも互いに等しくなくてもよいと共に、各行において偏向部１２が側面１１ａの或る１点に垂直な方向にそれぞれ直線的に並んでいる必要もない。
【００７５】
具体的には、本実施の形態の導光板１０Ａでは、各行に配された複数の偏向部１２における各傾斜面１２ａの向きである、側面１１ｂに対する角度αは、側面１１ｂからの距離に応じて、不連続に変化するようになっている。例えば、図１の（ａ）においては、偏向部１２の各傾斜面１２ａの向きである、側面１１ｂに対する角度αである第１角度α１は第１行〜第６行までは略同じか又は徐々に変化しているが、第７行は側面１１ｂに対する角度αは第１角度α１とは急激に異なる第２角度α２となっている。つまり、第１行〜第６行までは第１角度α１が連続的に略同じか又は徐々に変化しているのに対して、第６行と第７行との間では、偏向部１２の各傾斜面１２ａの向きである第１角度α１から、第７行以降の偏向部１２の各傾斜面１２ａの向きである第２角度α２に急に変化しており、両者は不連続に変化している。
【００７６】
尚、図７に示すように、折曲線の立体画像ＳＩ上に存在する各偏向部１２の傾斜面１２ａは、光源４の位置を向いている。詳細には、視差によって、少なくともそのように見える。
【００７７】
導光板１０Ａの偏向部１２がこのように配されていることによって、図８に示すように、稲妻線等の折曲線の立体画像ＳＩを表示することが可能となる。尚、各偏向部１２の傾斜面１２ａによる個々の立体画像ＳＩは、傾斜面１２ａに垂直な結像位置に現れる。
【００７８】
ここで、偏向部１２の向きが変化した場合の出射面１１ｃから出射される出射光の指向性の変化について、図９の（ａ）（ｂ）（ｃ）に基づいて説明する。図９の（ａ）は、発光装置３Ａにおける導光板１０Ａについて、偏向部１２の向きが変化した場合の出射面１１ｃから出射される出射光の指向性の変化を示す斜視図である。図９の（ｂ）は、発光装置３Ａにおける導光板１０Ａについて、偏向部１２の向きが変化した場合の出射面１１ｃから出射される出射光の指向性の変化を示す平面図である。図９の（ｃ）は、発光装置３Ａにおける立体画像ＳＩが見える奥行方向の位置を示す断面図である。
【００７９】
前記図１８の（ｂ）に示すように、偏向部１２の向きが、側面１１ｂに平行である場合には、側面１１ｂに垂直な立体画像ＳＩが表示される。しかし、図９の（ａ）（ｂ）（ｃ）に示すように、偏向部１２の向きが、側面１１ｂに平行でない場合には、前記直線に対して左右方向に移動した点Ｐ１及び点Ｐ２、並びに点Ｐ１ｎ及び点Ｐ２ｎから光が出射され、その結果点Ｃ１及び点Ｃｎに立体画像ＳＩされるように見える。この結果、偏向部１２の向きによって、交点位置が横方向つまり側面１１ｂに平行な方向に変化する。したがって、立体画像ＳＩの線が曲がっているように見せることができるものとなる。
【００８０】
ところで、前述した説明では、立体画像ＳＩとして稲妻線等の折曲線の表示方法について説明した。しかし、本実施の形態の発光装置３Ａでは、折曲線だけではなく、曲線の立体画像ＳＩも表示することが可能である。
【００８１】
図１０の（ａ）（ｂ）に基づいて、曲線の立体画像ＳＩを表示する方法について説明する。尚、以下の説明では、曲線としてのＳ字線の立体画像ＳＩを表示する方法について説明する。図１０の（ａ）は、発光装置３Ａにおいて、Ｓ字の曲線を立体表示させる場合の導光板１０Ａにおける全ての偏向部１２の向きの変化を示す平面図である。図１０の（ｂ）は、Ｓ字の曲線を立体表示させる場合の導光板１０ＡにおけるＳ字に関係する偏向部１２のみについての向きの変化を示す平面図である。
【００８２】
図１０の（ａ）（ｂ）に示すように、Ｓ字の曲線を立体表示させる場合には、各行に配された複数の偏向部１２における前記各傾斜面１２ａの向きである、側面１１ａに対する角度αは、側面１１ａからの距離に応じて、連続して逐次的に大きく又は小さくなるように変化する。これにより、光源４からの光の側面１１ａから該側面１１ａに対向する側面１１ｂに向かう曲線を具体的に立体表示し得る導光板１０Ａを提供することができる。
【００８３】
すなわち、本実施の形態では、偏向部１２の向きが側面１１ａから側面１１ｂに向かう方向に直交する方向において連続して変化した場合には、立体画像ＳＩは曲線となる。一方、偏向部１２の向きが側面１１ａから側面１１ｂに向かう方向に直交する方向において不連続に変化した場合には、立体画像ＳＩは折曲線となる。
【００８４】
尚、図１０の（ａ）（ｂ）においても、曲線の立体画像ＳＩ上に存在する各偏向部１２の傾斜面１２ａは、光源４の位置を向いている。詳細には、視差によって、少なくともそのように見える。
【００８５】
以上のように、本実施の形態に係る発光装置３Ａは、導光板１０Ａと、導光板１０Ａの側面１１ａに平行に配された複数の光源４とを備えている。そして、導光板１０Ａは、視差による立体画像ＳＩを表示させる。導光板１０Ａは、光源４からの光が入射面としての側面１１ａを介して入射され、かつ内部を全反射されながら導光される光を反射して出射面１１ｃから出射させる傾斜面１２ａを有する複数の偏向部１２を側面１１ａに平行な行毎に備えている。各行に配された複数の偏向部１２における各傾斜面１２ａは、同一の行内では全て同じ向きとなっており、かつ側面１１ａからの距離に応じて各行の傾斜面１２ａの向きが変化するようになっている。
【００８６】
この結果、視差による立体画像ＳＩの表示においては、側面１１ａから該側面１１ａに対する対向面に向かう方向において曲線又は折曲線を表示させることが可能となる。
【００８７】
したがって、側面１１ａから該側面１１ａに対向する側面１１ｂに向かう曲線又は折曲線を立体表示し得る導光板１０Ａ及び発光装置３Ａを提供することができる。
【００８８】
また、本実施の形態における導光板１０Ａは、各行に配された複数の偏向部１２における各傾斜面１２ａの向きである、側面１１ａに対する角度αは、側面１１ａからの距離に応じて、連続して逐次的に大きく又は小さくなるように変化する。
【００８９】
これにより、光源４からの光の側面１１ａから該側面１１ａに対向する側面１１ｂに向かう曲線を具体的に立体表示し得る導光板１０Ａを提供することができる。
【００９０】
また、本実施の形態における導光板１０Ａでは、各行に配された複数の偏向部１２における各傾斜面１２ａの向きである、側面１１ａに対する角度αは、側面１１ａからの距離に応じて、不連続に変化するとすることができる。
【００９１】
これにより、例えば、複数の偏向部１２における傾斜面１２ａの向きが、視差による立体画像ＳＩの結像位置を側面１１ａから側面１１ｂに向かって数行に亘って連続的に同じとした場合には、直線の立体画像ＳＩを表示させることができる。次いで、各行に配された複数の偏向部１２における各傾斜面１２ａの向きである、側面１１ａに対する角度αを、側面１１ａからの距離に応じて、不連続に変化させて、数行に亘って連続的に同じとした場合には、前記直線が、急に方向を変化させた後、直線の立体画像ＳＩを表示させることができる。この結果、例えば稲妻線等の折曲線となる立体画像ＳＩを表示させることが可能となる。
【００９２】
また、本実施の形態における表示装置２は発光装置３Ａを備えていると共に、発光装置３Ａにおける光源４の発光タイミング、及び互いに異なる色を発光する複数の光源４の切り換え制御の少なくとも１つを制御する制御部を備えている。これにより、表示装置２において、突然、曲線又は折曲線を立体表示させたり、曲線又は折曲線の色を変えたりする演出を行わせることが可能となる。
【００９３】
また、本実施の形態では、表示装置２を備えた遊技機１を提供することができる。
【００９４】
〔実施の形態２〕
本開示の他の実施形態について、図１１に基づいて説明すれば以下の通りである。尚、説明の便宜上、前記実施形態と同じ機能を有する部材には同じ符号を付し、その説明を省略する。
【００９５】
図１１は、本実施の形態における発光装置３Ｂの構成を示す斜視図である。図１１に示すように、発光装置３Ｂは、光源４、導光板１０Ｂ及び光学部材としての集光レンズ５を備えている。本実施の形態では、導光板１０Ｂの側面１１ａ側に１つの光源４が配置されている。
【００９６】
集光レンズ５は、光源４から出射された光を集光する光学系である。集光レンズ５は、光源４と導光板１０Ｂとの間に配置されている。この集光レンズ５は、光源４から出射された光を集光して、導光板１０Ｂの側面１１ａに入射させる。そのため、進行方向に対してビーム径が徐々に減少する光が、導光板１０Ｂの側面１１ａに入射することになる。
【００９７】
したがって、導光板１０Ｂの出射面１１ｃに対して垂直な方向から見たとき、入射した光は、進行方向に対して垂直な方向の幅が徐々に減少するように導光板１０Ｂ内を導光する。このような光を、例えば、光の入射方向に対して略垂直な傾斜面１２ａを有する偏向部１２によって反射させた場合、交点Ｃが出射面１１ｃに対して例えば観測者側に位置するように、第１出射光Ｌ１及び第２出射光Ｌ２を出射面１１ｃから好適に出射することができる。
【００９８】
このように、交点Ｃが出射面１１ｃに対して観測者側に位置している場合、観測者には発光点が出射面よりも手前にあるように見える。したがって、飛び出し感のある立体画像ＳＩの立体表示が可能となる。
【００９９】
以上のように、発光装置３Ｂは、光源４、導光板１０Ｂ、及び光源４と導光板１０Ｂとの間に配置された集光レンズ５を備え、集光レンズ５は、光源４から出射された光を集光して、導光板１０Ｂに入射させる。
【０１００】
したがって、本実施の形態によれば、飛び出し感のある立体画像ＳＩを好適に表示する導光板１０Ｂ及び発光装置３Ｂを実現することができる。
【０１０１】
尚、表示される立体画像ＳＩの飛び出し量は、偏向部１２による反射角度を変更することによって設計が可能である。例えば、立体画像ＳＩの飛び出し量を大きく表示したい部分については、交点Ｃにおける、第１地点Ｐ１及び一方の目Ｅ１の中心を通る直線と、第２地点Ｐ２及び他方の目Ｅ２の中心を通る直線とがなす前記角度θが小さくなるように、対応する偏向部１２による反射角度を変更すればよい。
【０１０２】
〔実施の形態３〕
本開示のさらに他の実施形態について、図１２及び図１３に基づいて説明すれば以下の通りである。尚、説明の便宜上、前記実施形態と同じ機能を有する部材には同じ符号を付し、その説明を省略する。
【０１０３】
図１２は、本実施の形態における発光装置３Ｃの構成を示す斜視図である。図１２に示すように、発光装置３Ｃは、光源としての第１光源４ａ及び第２光源４ｂと、第２偏向部２２がさらに形成された導光板１０Ｃを備えている。
【０１０４】
第１光源４ａは、導光板１０Ｃの入射面である側面１１ａに沿って設けられており、前述した光源４である。
【０１０５】
第２光源４ｂは、導光板１０Ｃに光を出射する発光素子であり、第１光源４ａが配置された側面１１ａ及び出射面１１ｃと直交する側面１１ｅに沿って複数配されている。この第２光源４ｂから出射された光は、側面１１ｅから導光板１０Ｃに入射して、第２偏向部２２によって反射され、出射面１１ｃがから出射される。
【０１０６】
導光板１０Ｃは、側面１１ａから入射した第１光源４ａからの光を導光し、出射面１１ｃから出射する導光部材である。本実施の形態では、導光板１０Ｃには、前述した偏向部１２と共に、尖形の突端部ｅを有する第２偏向部２２が複数形成されている。
【０１０７】
この第２偏向部２２は、突端部ｅを入射面である側面１１ａに向けて配されている。これにより、第２偏向部２２は、側面１１ａから入射した第１光源４ａからの光を反射させず、側面１１ａ及び出射面１１ｃと直交する側面１１ｅから入射した第２光源４ｂからの光のみを反射する。
【０１０８】
図１３（ａ）は、第２偏向部２２の形状を説明するための斜視図であり、図１３の（ｂ）はその平面図であり、図１３（ｃ）は、その側面図である。
【０１０９】
第２偏向部２２としては、例えば、図１３の（ａ）〜（ｃ）に示すように、第２光源４ｂからの光の進行方向Ｄ１と直交する方向に尖形の突端部ｅが配置されている。また、第２光源４ｂからの光の進行方向Ｄ１と、突端部ｅに接続される第２偏向部２２の反射面２２ａの縁端部の法線方向Ｄ２とのなす角度βが−３８．３２７ｘ２＋１５２．３ｘ４．０１４（ｘは導光板１０Ｃの屈折率）以下のものを好適に用いることができる。
【０１１０】
このような第２偏向部２２を導光板１０Ｃに形成することにより、第２偏向部２２が側面１１ａから入射した光源４からの光によって発光することを好適に抑制することが可能となる。そのため、第２偏向部２２に対応する立体画像ＳＩを発光させることができる。
【０１１１】
以上のように、発光装置３Ｃは、第１光源４ａ及び第２光源４ｂ、並びに偏向部１２及び第２光源用偏向部としての第２偏向部２２が形成された導光板１０Ｃを備えている。
【０１１２】
発光装置３Ｃでは、第１光源４ａの発光及び第２光源４ｂの発光はそれぞれ互いに影響されることなく、第１光源４ａの発光により偏向部１２に対応する立体画像ＳＩを表示し、第２光源４ｂにより第２偏向部２２に対応する立体画像ＳＩを表示する。
【０１１３】
具体的には、発光装置３Ｃでは、第２偏向部２２は尖形の突端部ｅが導光板１０Ｃの側面１１ａ側に向けて配されているため、側面１１ａから入射した第１光源４ａからの光による第２偏向部２２の発光を抑制することが可能となる。このため、偏向部１２に対応する立体画像ＳＩを第１光源４ａによって発光させ、第２偏向部２２に対応する立体画像ＳＩを第２光源４ｂによって発光させることができる。この結果、例えば、立体画像ＳＩの位置が出射面１１ｃに対して観測者とは反対側に位置する場合、第２偏向部２２に対応する立体画像ＳＩに対して偏向部１２に対応する立体画像ＳＩがさらに奥側にあるように観測者に観測させることができる。
【０１１４】
したがって、本実施の形態によれば、第２偏向部２２に対応する立体画像ＳＩが浮遊したような浮遊感のある立体画像ＳＩの立体表示が可能な発光装置３Ｃを実現することができる。
【０１１５】
〔実施の形態４〕
本開示のさらに他の実施形態について、図１４及び図１５に基づいて説明すれば以下の通りである。尚、説明の便宜上、前記実施形態と同じ機能を有する部材には同じ符号を付し、その説明を省略する。
【０１１６】
図１４は、本実施の形態における発光装置３Ｄの構成を示す斜視図であり、図１５は、発光装置３Ｄの導光板１０Ｄの入射面としての側面１１ａに設けられたマスク６の構成を示す正面図である。
【０１１７】
図１４及び図１５に示すように、本実施の形態の発光装置３Ｄは、光源４、導光板１０Ｄ及びマスク部材としてのマスク６を備えている。
【０１１８】
マスク６は、遮光性を有する板状部材である。マスク６は、光源４と導光板１０Ｄとの間に配置されており、光源４から出射された光を通過させるスリット６ａを有している。
【０１１９】
スリット６ａは、導光板１０Ｄの側面１１ａに平行であり、かつ出射面１１ｃに対して略直交する方向に形成されている。そのため、マスク６のスリット６ａを通過した光を導光板１０Ｄの側面１１ａから入射させることにより、入射する光の幅を狭くすることが可能となる。その結果、より細くシャープな光の線の立体画像ＳＩを表示することができる。
【０１２０】
スリット６ａは、複数有していてもよく、その場合、各スリット６ａの幅が異なっていてもよい。これにより、異なる幅の複数の光の線の立体画像ＳＩを表示することができる。
【０１２１】
また、スリット６ａに、カラーフィルム６ｂが取り付けられていてもよい。これにより、光源４の色とは異なる色を用いて立体画像ＳＩを表示することが可能となる。
【０１２２】
さらに、マスク６に複数のスリット６ａを設けると共に、各スリット６ａに異なる色のカラーフィルム６ｂを取り付けてもよい。これにより、複数の色を用いて立体画像ＳＩを表示することができる。
【０１２３】
以上のように、発光装置３Ｄは、光源４、導光板１０Ｄ、及び光源４と導光板１０Ｄとの間に配置されたマスク６を備え、マスク６は、光源４から出射された光を通過させる少なとも１つのスリット６ａを有している。
【０１２４】
これにより、発光装置３Ｄでは、マスク６のスリット６ａを通過した光が導光板１０Ｄの側面１１ａから入射するため、入射する光の幅を狭くすることが可能となる。したがって、本実施の形態では、より細くシャープな光の線の立体画像ＳＩを表示することが可能な発光装置３Ｄを実現することができる。
【０１２５】
〔実施の形態５〕
本開示のさらに他の実施形態について、図１６及び図１７に基づいて説明すれば以下の通りである。尚、説明の便宜上、前記実施形態と同じ機能を有する部材には同じ符号を付し、その説明を省略する。
【０１２６】
図１６は、本実施の形態における発光装置３Ｅの構成を示す斜視図である。図１６に示すように、本実施の形態の発光装置３Ｅは、光源４、導光板１０Ｅ、並びに第１反射部材７及び第２反射部材８を備えている。
【０１２７】
第１反射部材７は、光源４が配置された側面１１ａと対向する導光板１０Ｅの側面１１ｂに沿って配置されている。この第１反射部材７は、側面１１ａに配置された光源４から入射されて導光板１０Ｅを導光して対向する側面１１ｂに到達した光を反射して側面１１ａ側へ戻すものである。
【０１２８】
側面１１ｂに第１反射部材７が配置されていることにより、光源４からの光のうち前記偏向部１２（図示省略）によって反射されずに導光板１０Ｅの側面１１ｂに到達した光を、第１反射部材７によって側面１１ａ側へ反射して、再び偏向部１２へ向かわせることができる。これにより、導光板１０Ｅの側面１１ｂに疑似光源４’を配置した場合と同様の効果を得ることができ、光源４から側面１１ｂに到達した光を出射面１１ｃから出射することが可能となる。したがって、発光装置３Ｅの光の利用効率を高めることができる。
【０１２９】
第２反射部材８は、隙間８ａを有して光源４の入射面である側面１１ａに沿って配置されている。第２反射部材８は、第１反射部材７によって反射され、導光板１０Ｅを導光して側面１１ａに到達した光を再度側面１１ｂ側へ反射するものである。
【０１３０】
第２反射部材８には、光源４から出射された光が導光板１０Ｅの側面１１ａへ入射可能なように、光源４と対向する部分に前記隙間８ａが設けられており、この隙間８ａを通って、光源４から出射された光が導光板１０Ｅの側面１１ａへ入射する。
【０１３１】
側面１１ａに沿って第２反射部材８を配置することにより、第１反射部材７によって反射された光のうち偏向部１２によって反射されずに導光板１０Ｅの側面１１ａに戻った光を、第２反射部材８によって側面１１ｂ側へ反射して、再び偏向部１２へ向かわせることができる。したがって、側面１１ａに戻った光を出射面１１ｃから出射することが可能となるため、発光装置３Ｅの光の利用効率をさらに高めることができる。
【０１３２】
図１７は、発光装置３Ｅの発光状態の一例を示す斜視図である。図１７示すように、発光装置３Ｅでは、例えば、光源４側の側面１１ａから側面１１ｂに向かう線と、側面１１ｂにおいて第１反射部材７によって折り返された線との両方の立体画像ＳＩを表示することができる。
【０１３３】
以上のように、本実施の形態の発光装置３Ｅは、光源４及び導光板１０Ｅ、並びに第１反射部材７及び第２反射部材８を備え、第１反射部材７が側面１１ｂに配置され、第２反射部材８が側面１１ａに配置されている。
【０１３４】
発光装置３Ｅでは、光源４からの光のうち偏向部１２によって反射されずに導光板１０Ｅの側面１１ｂに到達した光を、第１反射部材７によって側面１１ａ側へ反射して、再び偏向部１２へ向かわせることができる。
【０１３５】
また、第１反射部材７によって反射された光のうち偏向部１２によって反射されずに導光板１０Ｅの側面１１ａに戻った光を、第２反射部材８によって側面１１ｂ側へ反射して、再び偏向部１２へ向かわせることができる。
【０１３６】
したがって、本実施の形態によれば、光の利用効率を高めた発光装置３Ｅを実現することができる。
【０１３７】
尚、本開示は、上述した各実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。さらに、各実施形態にそれぞれ開示された技術的手段を組み合わせることにより、新しい技術的特徴を形成することができる。
【符号の説明】
【０１３８】
１              遊技機
２              表示装置
２ａ            画像表示
３Ａ〜３Ｅ      発光装置
４              光源
４ａ            第１光源
４ｂ            第２光源
５              集光レンズ（光学部材）
６              マスク（マスク部材）
６ａ            スリット
６ｂ            カラーフィルム
７              第１反射部材
８              第２反射部材
８ａ            隙間
１０Ａ〜１０Ｅ    導光板
１１ａ            側面（入射面）
１１ｂ            側面（対向面）
１１ｃ            出射面
１１ｄ            下面
１１ｅ            側面
１２              偏向部
１２ａ            傾斜面（反射面）
１２Ｘ            第１偏向部群
１２Ｙ            第２偏向部群
２２              第２偏向部
２２ａ            反射面
Ｃ１・Ｃ２・Ｃｎ  交点
Ｅ１              一方の目
Ｅ２              他方の目
ｅ                突端部
Ｌ１              第１出射光
Ｌ２              第２出射光
Ｐ１              第１地点
Ｐ２              第２地点
α                側面に対する角度（反射面の向き）
α１              第１角度（第１向き）
α２              第２角度（第２向き）
β・θ            角度
【図１】
2019139176.tif 000003
【図２】
2019139176.tif 000004
【図３】
2019139176.tif 000005
【図４】
2019139176.tif 000006
【図５】
2019139176.tif 000007
【図６】
2019139176.tif 000008
【図７】
2019139176.tif 000009
【図８】
2019139176.tif 000010
【図９】
2019139176.tif 000011
【図１０】
2019139176.tif 000012
【図１１】
2019139176.tif 000013
【図１２】
2019139176.tif 000014
【図１３】
2019139176.tif 000015
【図１４】
2019139176.tif 000016
【図１５】
2019139176.tif 000017
【図１６】
2019139176.tif 000018
【図１７】
2019139176.tif 000019
【図１８】
2019139176.tif 000020
【図１９】
2019139176.tif 000021
【図２０】
2019139176.tif 000022